(57)【要約】【課題】消費電力を軽減することができる撮影装置を提供する。【解決手段】撮影画像を表示する表示手段２８と、表示手段２８の駆動を制御する制御手段５０とを有し、リモコン操作により撮影を可能とするリモコン撮影モードの設定が可能であるとともに、撮影直後にこの撮影画像を表示手段に表示可能な撮影装置において、制御手段５０は、リモコン撮影モードが設定されているか否かを判断し、リモコン撮影モードが設定されているときに、表示手段２８において撮影直後での撮影画像の表示を禁止する。【選択図】  図１
2004236038.tif 000002
【特許請求の範囲】
【請求項１】
撮影画像を表示する表示手段と、
この表示手段の駆動を制御する制御手段とを有し、
リモコン操作により撮影を可能とするリモコン撮影モードの設定が可能であるとともに、撮影直後にこの撮影画像を前記表示手段に表示可能な撮影装置において、
前記制御手段は、前記リモコン撮影モードが設定されているか否かを判断し、前記リモコン撮影モードが設定されているときに、前記表示手段において撮影直後での撮影画像の表示を禁止することを特徴とする撮影装置。
【発明の詳細な説明】
【０００１】
【発明の属する技術分野】
本発明は、撮影した画像を画像表示部に表示可能な撮影装置に関するものである。
【０００２】
【従来の技術】
従来、カメラ等の撮影装置においては、画像表示部に撮影直後の撮影画像を確認のために表示させるクイックレビュー機能を備えたものがある。この撮影装置において、クイックレビュー機能の設定が行われた場合には、撮影毎に撮影直後の撮影画像を画像表示部に表示し、クイックレビュー機能の設定が行われなかった場合には、撮影毎に撮影直後の撮影画像を画像表示部に表示することを禁止している（第１の従来技術）。
【０００３】
ここで、クイックレビュー機能の設定が行われた場合において、撮影直後の撮影画像を画像表示部に表示させる時間を選択的又は任意に設定可能とする撮影装置がある。
【０００４】
一方、光学ファインダを備えたカメラにおいて、光学ファインダを介して被写体を観察しながら連写撮影を行う場合、クイックレビュー機能が設定されているときでも、連写撮影の最中は撮影直後の撮影画像を画像表示部に表示することを禁止し、連写撮影のうち最後に撮影された撮影画像のみを画像表示部に表示させるカメラがある（第２の従来技術、例えば、特許文献１参照）。
【０００５】
また、クイックレビュー機能を設定した場合であって、連写モード又はブラケッティングモードで撮影を行う場合に、連写モード又はブラケッティングモードで撮影された複数の撮影画像を連続撮影直後に画像表示部に同時にマルチ表示し、１回だけ撮影した場合には、撮影直後の１つの撮影画像を画像表示部に表示するカメラがある（第３の従来技術）。
【０００６】
【特許文献１】
特開２００１−３２０６１２号公報
【０００７】
【発明が解決しようとする課題】
上述した第１の従来技術では、クイックレビュー機能が設定されている場合、撮影者が撮影直後の撮影画像を画像表示部で確認できないような状況においても、撮影する毎に撮影直後の撮影画像が画像表示部に表示されてしまい、カラーパネル等の液晶表示装置の電源が入ることにより電池が無駄に消耗するという問題がある。
【０００８】
これに対して、第２の従来技術では、光学ファインダにより被写体観察を行いながら連写撮影を行う場合に、クイックレビュー機能が設定されていても連写撮影の最中は画像表示部に撮影画像を表示することを禁止している。撮影者が光学ファインダを覗きながら連写撮影を行う場合には、画像表示部に撮影毎の撮影画像が表示されても撮影者はこの表示を確認することができない。このため、連写撮影の最中に撮影画像の表示を禁止することで、カメラの電力を無駄に消費するのを防止することができる。
【０００９】
ここで、連写撮影の最後に撮影された撮影画像は、画像表示部に表示されることになるが、リモコン撮影モードやセルフ撮影モードなどのように撮影者がカメラから離れた状態で撮影を行う場合には、撮影者が撮影直後の撮影画像を画像表示部で確認することは困難である。このような状況においても、画像表示部に撮影画像が表示されることは、カメラの電力を無駄に消費することになる。
【００１０】
また、上述した第３の従来技術では、連続撮影により得られた複数の撮影画像を、連続撮影直後に画像表示部にマルチ表示させている。すなわち、光学ファインダを覗きながら連写モード又はブラケッティングモードで撮影を行っている最中には、画像表示部に撮影画像が表示されないようになっている。これにより、第１の従来技術と同様に、カメラの電力を無駄に消費するのを防止することができる。なお、複数の撮影画像をマルチ表示させた場合、複数の撮影画像を１つの画面内において同時に確認することができるため、カメラの使い勝手が良くなる。
【００１１】
しかしながら、複数の撮影画像を画像表示部にマルチ表示させても、撮影者がカメラから離れた状況で撮影（例えば、リモコン撮影やセルフ撮影）を行った場合には、撮影者は画像表示部に表示された複数の撮影画像を確認することが困難である。このような状況において、画像表示部に撮影画像を表示することはカメラの電力を無駄に消費することになる。
【００１２】
【課題を解決するための手段】
本発明は、撮影画像を表示する表示手段と、この表示手段の駆動を制御する制御手段とを有し、リモコン操作により撮影を可能とするリモコン撮影モードの設定が可能であるとともに、撮影直後にこの撮影画像を表示手段に表示可能な撮影装置において、制御手段は、リモコン撮影モードが設定されているか否かを判断し、リモコン撮影モードが設定されているときに、表示手段において撮影直後での撮影画像の表示を禁止することを特徴とする。
【００１３】
【発明の実施の形態】
本発明の一実施形態であるデジタルカメラ（撮影装置）について図面を参照しながら説明する。本実施形態のカメラでは、リモコン操作により撮影（リモコン撮影）を行うことができるとともに、レリーズボタンを操作してから所定時間経過後に撮影（セルフ撮影）を行うことができるようになっている。また、本実施形態のカメラは、撮影画像や撮影情報等を表示するための画像表示部を有しており、この画像表示部（画像表示面）は、カメラ前方（被写体側）やカメラ後方に向けることが可能となっている。
【００１４】
図９は、本実施形態のカメラの上面図（ａ）および背面図（ｂ）である。１０２はカメラ本体１０１に着脱可能なレンズ装置であり、装着された状態でカメラ本体１０１との相互通信が可能である。１０４は、光学式レンズを通して被写体像を確認するための光学ファインダである。
【００１５】
７１は２段押圧式のレリーズボタン（操作手段）であり、半押し操作で撮影準備動作（焦点検出動作および測光動作等）が行われ、全押し操作で撮影動作が行われる。２８はカラー液晶パネル等の画像表示部（表示手段）であり、撮影した画像を再生表示したり、被写体画像を逐次表示したり、撮影情報等を表示したりすることができる。この画像表示部２８は、支持部２８ａを介してカメラ本体１０１に回転可能に取り付けられており、表示面がカメラ前面側（被写体側）を向く位置と、カメラ背面側を向く位置（図９（ｂ））との間で移動可能となっている。
【００１６】
６６は画像表示スイッチであり、このスイッチ６６の操作により画像表示部２８の表示を表示／非表示で切り替えることができる。
【００１７】
本実施形態のカメラにおいて、撮影者は光学ファインダ１０４又は画像表示部２８を介して被写体像を観察することにより撮影を行うことができる。ここで、撮影者が光学ファインダ１０４を覗くときには、画像表示部２８の表示内容を見ることができない。６１はモードダイヤル、６８はクイックレビュースイッチであり、これらの部材の詳細な説明は後述する。
【００１８】
図１０は、本実施形態であるカメラの断面図を示している。
【００１９】
同図において、レンズ装置１０２内には、撮影レンズ１０と、光通過口の開口面積を変更可能な絞り１２が配置されている。また、カメラ本体１０１内にはハーフミラー１０３が配置されており、このハーフミラー１０３は、撮影光路上に斜設された位置と、撮影光路から退避した位置との間で移動可能である。また、カメラ本体１０１内に配置されたシャッタ（フォーカルプレンシャッタ）１３は、複数の遮光羽根で構成されており、これらの羽根が重畳および展開することによって光通過口となる開口部を開閉する。
【００２０】
レンズ装置１０２内に配置された撮影レンズ１０を通過した被写体光は、この一部がハーフミラー１０３を透過し、一部がハーフミラー１０３で反射する。ハーフミラー１０３を透過した光は、ＣＣＤ等の撮像素子１４で受光され、撮像素子１４で電気信号に変換される。一方、ハーフミラー１０３で反射した光は、ペンタプリズム１０５に導かれ、このペンタプリズム１０５で反射を繰り返した後、光学ファインダ１０４に導かれる。これにより、撮影者は被写体像を観察することができる。
【００２１】
カメラ本体１０１の底面には、三脚座３００が設けられており、この三脚座３００には不図示の三脚が装着される。三脚座３００に三脚を装着することにより、カメラ本体１０１の位置を固定することができる。
【００２２】
図１は、本実施形態のカメラの構成を示すブロック図である。同図において、図９、１０で説明した部材と同じ部材については同一符号を付して説明を省略する。
【００２３】
１６はＡ／Ｄ変換器であり、撮像素子１４から出力されたアナログ信号をデジタル信号に変換する。１８はタイミング発生回路であり、撮像素子１４、Ａ／Ｄ変換器１６、Ｄ／Ａ変換器２６にクロック信号や制御信号を供給する。このタイミング発生回路１８は、後述するメモリ制御回路２２およびシステム制御回路（制御手段）５０からの制御信号を受けることで駆動制御が行われる。
【００２４】
２０は画像処理回路であり、Ａ／Ｄ変換器１６又はメモリ制御回路２２からの画像データを受けることで、この画像データに対して所定の画素補間処理や色変換処理を行う。また、画像処理回路２０は、撮像した画像データを用いて所定の演算処理を行い、この演算処理結果をシステム制御回路５０に出力する。
【００２５】
システム制御回路５０は、画像処理回路２０からの演算結果に基づいて、露光制御回路４０（シャッタ速度および絞り）の駆動を制御する。また、システム制御回路５０は、画像処理回路２０による演算結果に基づいて、レンズ装置１０２との通信によりレンズ装置１０２内に配置された不図示の駆動機構を介して撮影レンズ１０を光軸方向に移動させ、フォーカス制御回路４２の制御によりＴＴＬ（Ｔｈｒｏｕｇｈ  Ｔｈｅ  Ｌｅｎｓ）方式のＡＦ（Ａｕｔｏ  Ｆｏｃｕｓ）処理を行う。
【００２６】
さらに、システム制御回路５０は、画像処理回路２０による演算結果に基づいて、ＡＥ（Ａｕｔｏｍａｔｉｃ  Ｅｘｐｏｓｕｒｅ）処理や、ＥＦ（Ｅｌｅｃｔｒｏｎｉｃ  Ｆｌａｓｈ、ストロボプリ発光）処理を行う。また、画像処理回路２０は、撮像した画像データを用いて所定の演算処理を行い、システム制御回路５０は画像処理回路２０で得られた演算結果に基づいてＴＴＬ方式のＡＷＢ（Ａｕｔｏ  Ｗｈｉｔｅ  Ｂａｌａｎｃｅ）処理も行っている。
【００２７】
２２はメモリ制御回路であり、Ａ／Ｄ変換器１６、タイミング発生回路１８、画像処理回路２０、画像表示メモリ２４、Ｄ／Ａ変換器２６、メモリ３０および圧縮伸長回路３２に制御信号を出力することにより、これら回路の駆動を制御する。Ａ／Ｄ変換器１６のデータは、画像処理回路２０およびメモリ制御回路２２を介して、又はメモリ制御回路２２だけを介して、画像表示メモリ２４又はメモリ３０に書き込まれる。
【００２８】
２４は画像表示メモリ、２６はＤ／Ａ変換器、２８はＴＦＴＬＣＤ等からなる画像表示部である。画像表示メモリ２４に書き込まれた表示用の画像データは、Ｄ／Ａ変換器２６を介して画像表示部２８に送られ、この画像表示部２８で表示される。撮像した画像（撮像素子１４で受光される画像）をＮＴＳＣ方式又はＰＡＬ方式等により画像表示部２８に逐次表示させるようにすれば、電子ファインダ機能を実現することが可能である。
【００２９】
また、画像表示部２８は、システム制御回路５０の指示に基づいて任意に画像を表示したり、非表示にしたりすることができる。画像表示部２８を非表示状態にすれば、カメラの消費電力を大幅に軽減することができる。
【００３０】
３０は撮影した静止画像や動画像を格納するためのメモリであり、所定枚数の静止画像や所定時間の動画像を格納するのに十分な記憶量を備えている。これにより、複数枚の静止画像を連続して撮影する連写撮影やブラケッティング撮影の場合にも、高速かつ大量の画像書き込みをメモリ３０に対して行うことが可能となる。また、メモリ３０はシステム制御回路５０の作業領域としても使用することが可能である。
【００３１】
３２は適応離散コサイン変換（ＡＤＣＴ）等により画像データを圧縮／伸長する圧縮伸長回路であり、メモリ３０に格納された画像を読み込んで圧縮処理又は伸長処理を行い、この処理を終えたデータをメモリ３０に書き込む。
【００３２】
４０はシャッタ１３および絞り１２の駆動を制御する露光制御回路であり、システム制御回路５０からの制御信号を受けることにより、シャッタ１３の遮光羽根を所定の速度（シャッタ速度）で走行させたり、所定の絞り口径となるように絞り１２を駆動したりする。また、露光制御回路４０は、ストロボ４８の駆動に連動してシャッタ１３の駆動を制御するストロボ調光機能を有する。
【００３３】
４２はフォーカス制御回路であり、システム制御回路５０からの制御信号を受けることにより、撮影レンズ１０を構成する一部のレンズ群（フォーカスレンズ）を光軸方向に移動させて焦点調節動作を行わせる。４４はズーム制御回路であり、システム制御回路５０からの制御信号を受けることにより、撮影レンズ１０を構成する一部のレンズ群（ズームレンズ）を光軸方向に移動させて変倍動作を行わせる。
【００３４】
４８はストロボであり、システム制御回路５０からの制御信号を受けることにより、被写体に対して照明光を照射する。ここで、ストロボ４８は、ＡＦ補助光の投光機能やストロボ調光機能を有する。このストロボ４８は、図９において、カメラ本体１０１に回転可能に取り付けられており、カメラ本体１０１から突出した発光位置とカメラ本体１０１に収納される収納位置との間で移動可能となっている。
【００３５】
露光制御回路４０およびフォーカス制御回路４２は、ＴＴＬ方式に基づいて駆動制御が行われる。すなわち、システム制御回路５０は、画像処理回路２０における撮像した画像データの演算結果に基づいて、露光制御回路４０およびフォーカス制御回路２０の駆動制御を行う。
【００３６】
５０はカメラ全体の動作を制御するシステム制御回路であり、５２はシステム制御回路５０の動作用の定数、変数、プログラム等を記憶するメモリである。５４は表示部であり、システム制御回路５０からの制御信号に基づき、文字や画像等を用いてカメラの動作状態や所定のメッセージ等を表示したり、音を発したりする。この表示部５４は、図９に示すように、カメラ本体１０１において視認し易い位置に設けられており、例えば、ＬＣＤやＬＥＤと発音素子との組み合わせにより構成されている。なお、表示部５４の表示内容の一部は、光学ファインダ１０４内にも表示されるようになっている。
【００３７】
表示部５４に表示される情報としては、例えば、単写／連写撮影、セルフタイマ撮影、リモコン撮影、圧縮率、記録画素数、記録枚数、撮影可能な残り枚数、シャッタスピード、絞り値、露出補正、ＷＢ、ストロボ発光、赤目緩和、マクロ撮影、ブザー設定、時計用電池残量、電池残量、エラー、複数桁の数字、記録媒体２００の着脱状態、通信Ｉ／Ｆ動作状態、日付・時刻情報に関する情報がある。
【００３８】
そして、表示部５４に表示される情報であって、光学ファインダ１０４内にも表示されるものとしては、例えば、合焦、手振れ警告、ストロボ充電、シャッタ速度、絞り値、露出補正、焦点検出領域に関する情報がある。
【００３９】
５６はデータを電気的に消去・記録可能な不揮発性メモリであり、この不揮発性メモリ５６として、例えばＥＥＰＲＯＭが用いられる。６１、６２、６３、６４、６６、６８、７０はそれぞれ、システム制御回路５０に対して各種の動作指示を入力するための操作部であり、これらの操作部はスイッチ、ダイヤル、タッチパネル、視線検知によるポインティング、音声認識装置等を単数又は複数組み合わせて構成されている。
【００４０】
ここで、上述した操作部について具体的に説明する。６１はモードダイヤルであり、カメラの電源ＯＦＦ、自動撮影モード、撮影モード（絞り優先・シャッタ速度優先・マニュアル・バルブを含む露出モード）、夜景撮影モード、マクロ撮影モード、再生モード、マルチ画面再生・消去モード、ＰＣ接続モード等の各モードを設定するために操作される。
【００４１】
このモードダイヤル６１は、図９に示すように、カメラ本体１０１の上部に回転可能な状態で配置されており、この表面には各モードに応じた文字や絵（不図示）が表示されている。そして、モードダイヤル６１の回転操作により文字や絵をカメラ本体１０１に表示された指標に合わせると、指標に合わせたモードに設定することができる。
【００４２】
なお、本実施形態では、モードダイヤル６１にカメラ電源をＯＦＦ状態とするためのスイッチ（電源ＯＦＦ）を設けたが、カメラ電源をＯＮ／ＯＦＦで切り替えるために操作されるスイッチを、カメラ本体１０１に別途設けてもよい。
【００４３】
６２はドライブモード設定スイッチであり、このスイッチの操作により単写撮影モード、連写撮影モード、リモコン撮影モード、セルフ撮影モードの切り替えを行うことができる。
【００４４】
６３はレリーズスイッチであり、レリーズボタン７１の半押しでＯＮ状態となるＳＷ１と、全押しでＯＮ状態となるＳＷ２とで構成されている。システム制御回路５０は、ＳＷ１がＯＮ状態になったことを受けてＡＦ処理、ＡＥ処理、ＡＷＢ処理、ＥＦ処理等の撮影準備動作を開始する。また、ＳＷ２がＯＮ状態になると、システム制御回路５０は、以下に示す一連の処理動作を開始する。すなわち、撮像素子１２から読み出した信号をＡ／Ｄ変換器１６およびメモリ制御回路２２を介してメモリ３０に画像データを書き込む露光処理、画像処理回路２０やメモリ制御回路２２での演算を用いた現像処理、メモリ３０から画像データを読み出して圧縮伸長回路３２で圧縮を行い、記録媒体２００に画像データを書き込む記録処理という一連の処理動作を行う。
【００４５】
使用者操作により画像表示スイッチ６６のＯＮ／ＯＦＦ状態を切り替えることにより、画像表示部２８の表示／非表示を切り替えることができる。ここで、光学ファインダ１０４を覗いて撮影を行う場合には画像表示部２８を使用することはないため、画像表示スイッチ６６の操作により画像表示部２８への電力供給を遮断して非表示状態とすれば、省電力化を図ることができる。
【００４６】
６８はクイックレビュースイッチであり、撮影された画像をこの撮影直後に画像表示部２８に自動再生表示する機能（クイックレビュー機能）の設定／解除を行うために操作される。なお、本実施形態のカメラでは、画像表示部２８が非表示状態となっている場合でも、クイックレビュー機能の設定により撮影直後の画像を画像表示部２８に自動再生表示することが可能となっている。
【００４７】
７０は各種ボタンやタッチパネル等からなる操作部で、メニューボタン、セットボタン、十字キー、ストロボ設定ボタン、撮影画質選択ボタン、露出補正ボタン、日付／時間設定ボタン等で構成されている。なお、十字キーは、メニュー移動、再生画像改ページ、再生画像移動、マルチ画面再生改ページなどに使用される。
【００４８】
７２は三脚検出回路であり、図１０に示すようにカメラ本体１０１に設けられた三脚座３００に三脚が取り付けられたか否かを検出し、この検出結果をシステム制御部５０に出力する。７３は撮影レンズ１０の焦点距離を検出する焦点距離検出回路であり、この検出結果をシステム制御回路５０に送る。７４は撮像時のシャッタ速度を検出するシャッタ速度検出回路である。
【００４９】
７５は被写体輝度検出回路であり、画像処理回路２０による撮影した画像データの演算結果に基づいて被写体の輝度を検出する。この検出結果はシステム制御回路５０に送られ、露出値の演算に用いられる。
【００５０】
７６は画面方向検出回路であり、画像表示部２８の画像表示面がカメラの背面側を向いているか、又は被写体側（レンズ光束入射側）を向いているかを検出し、この検出結果をシステム制御回路５０に出力する。画面方向検出回路７６は、具体的には、画像表示部２８の回転位置に応じて画像表示面の向く方向を検出する。
【００５１】
８０は電源制御回路であり、電池検出回路、ＤＣ／ＤＣコンバータ、通電するブロックを切り替えるスイッチ回路等により構成されている。電源制御回路８０は、電池の装着の有無、電池の種類および電池残量の検出を行い、検出結果およびシステム制御回路５０の指示に基づいてＤＣ／ＤＣコンバータの駆動を制御し、必要な電圧を必要な時間だけ記録媒体２００を含む各部へ供給する。
【００５２】
８２、８４はコネクタであり、８８はアルカリ電池やリチウム電池等の一次電池やＮｉＣｄ電池やＮｉＭＨ電池、Ｌｉイオン電池等の二次電池、ＡＣアダプタ等からなる電源である。
【００５３】
９０は記録媒体２００とのインターフェース（Ｉ／Ｆ）、９２は記録媒体２００と接続を行うコネクタである。９８は記録媒体検出回路であり、コネクタ９２に記録媒体２００が装着されているか否かを検出し、この検出結果をシステム制御回路５０に出力する。
【００５４】
なお、本実施形態では記録媒体２００を取り付けるインターフェース９０およびコネクタ９２を１系統持つものとして説明しているが、このインターフェースおよびコネクタは複数系統備えていてもよい。また、異なる規格のインターフェースおよびコネクタを組み合わせて備える構成としてもよい。
【００５５】
ここで、インターフェースおよびコネクタとしては、ＰＣＭＣＩＡ（Ｐｅｒｓｏｎａｌ  Ｃｏｍｐｕｔｅｒ  Ｍｅｍｏｒｙ  Ｃａｒｄ  Ｉｎｔｅｒｎａｔｉｏｎａｌ  Ａｓｓｏｃｉａｔｉｏｎ）カードやＣＦ（Ｃｏｍｐａｃｔ  Ｆｌａｓｈ）カード等の規格に準拠したものを用いて構成することができる。インターフェースおよびコネクタに、ＰＣＭＣＩＡカードやＣＦカード等の規格に準拠したものを用いれば、ＬＡＮカードやモデムカード、ＵＳＢカード、ＩＥＥＥ１３９４カード、Ｐ１２８４カード、ＳＣＳＩカード、ＰＨＳ等の通信カード等の各種通信カードを接続することにより、本実施形態のカメラと他のコンピュータやプリンタ等の周辺機器との間で画像データや画像データに付属した管理情報を転送し合うことができる。
【００５６】
光学ファインダ１０４内には、表示部５４の表示内容の一部、例えば、合焦、手振れ警告、ストロボ充電、シャッタ速度、絞り値、露出補正、焦点検出領域といった内容を表示するための表示素子が配置されている。
【００５７】
１１０は通信回路で、ＲＳ２３２ＣやＵＳＢ、ＩＥＥＥ１３９４、Ｐ１２８４、ＳＣＳＩ、モデム、ＬＡＮ、無線通信等の各種通信機能を有する。１１２はカメラを他の機器と接続するコネクタであり、無線通信の場合にはアンテナが用いられる。
【００５８】
２００はメモリカードやハードディスク等の記録媒体である。記録媒体２００は、半導体メモリや磁気ディスク等から構成される記録部２０２と、カメラとのインターフェース（Ｉ／Ｆ）２０４と、カメラとの接続を行うコネクタ２０６とを備えている。
【００５９】
図２から図８を用いて本実施形態であるカメラの動作について説明する。図２から図５はカメラの主ルーチンを示すフローチャートである。
【００６０】
電池交換等の電源投入により、システム制御回路５０はフラグや制御変数等を初期化し（ステップＳ１０１）、画像表示部２８を非表示状態に初期設定する（ステップＳ１０２）。
【００６１】
システム制御回路５０は、モードダイヤル６１の位置に応じてモードダイヤル６１で設定可能な各種モードの設定状態を判断する（ステップＳ１０３）。ここで、電源ＯＦＦに設定されている場合には、カメラ内の各表示部を非表示状態に切り替えて、フラグや制御変数等を含む必要なパラメータや設定値、設定モードを不揮発性メモリ５６に記録する。そして、電源制御回路８０の駆動により画像表示部２８を含むカメラ内における所定回路への電力供給を遮断する等の所定の終了処理を行う（ステップＳ１０５）。終了処理後は、ステップＳ１０３に戻る。
【００６２】
ステップＳ１０３において、撮影モードに設定されていると判断した場合にはステップＳ１０６に進む。また、電源ＯＦＦおよび撮影モード以外の他のモードに設定されていると判断した場合、システム制御回路５０は、他のモードのうちモードダイヤル６１で選択されたモードに応じた処理を実行し（ステップＳ１０４）、この処理を終えてからステップＳ１０３に戻る。
【００６３】
ステップＳ１０６において、システム制御回路５０は、電源制御回路８０を介して電源８６の残容量や動作状況がカメラ動作を行うのに問題があるか否か、すなわち正常にカメラ動作を行うことができるか否かを判断する。ここで、問題がある場合には、表示部５４を駆動することにより所定の画像を表示したり、音を発したりして撮影者に警告を行い（ステップＳ１０８）、その後ステップＳ１０３に戻る。
【００６４】
一方、ステップＳ１０６でカメラ動作に問題がないと判断した場合、システム制御回路５０は、記録媒体２００の動作状態がカメラ動作、特に記録媒体２００に記録された画像データの再生動作に問題があるか否かを判断する（ステップＳ１０７）。ここで、記録媒体２００の動作状態に問題がある場合には、表示部５４において所定の画像を表示したり、音を発したりして撮影者に警告を行い（ステップＳ１０８）、その後ステップＳ１０３に戻る。
【００６５】
一方、ステップＳ１０７で記録媒体２００の動作状態に問題がないと判断した場合には、表示部５４を駆動することにより所定情報を表示したり、音を発したりして、カメラにおける各種設定状態を撮影者に知らせる（ステップＳ１０９）。ここで、画像表示スイッチ６６の操作により、画像表示部２８が表示状態に設定されている場合には、画像表示部２８において画像を表示したり、音を発したりしてカメラの各種設定状態を撮影者に知らせる。
【００６６】
ステップＳ１１０において、システム制御回路５０は、クイックレビュースイッチ６８のＯＮ／ＯＦＦ状態を判別し、ＯＮ状態となっている場合にはクイックレビューフラグを設定し（ステップＳ１１１）、ＯＦＦ状態となっている場合にはクイックレビューフラグの設定を解除する（ステップＳ１１１’）。なお、クイックレビューフラグの情報は、システム制御回路５０の内部メモリ又はメモリ５２に記憶される。
【００６７】
ステップＳ１１２（図３）において、システム制御回路５０は、三脚検出回路７２からの出力を受けてカメラ本体１０１（三脚座３００）に三脚が取り付けられているか否かを判断する。ここで、三脚が取り付けられていると判断した場合には、三脚フラグを設定し（ステップＳ１１３）、三脚が取り付けられていないと判断した場合には、三脚フラグを解除する（ステップＳ１１４）。
【００６８】
次に、システム制御回路５０は、モードダイヤル６１からの出力を受けてカメラの撮影モードがマクロ撮影モードに設定されているか否かを判断する（ステップＳ１１５）。ここで、マクロ撮影モードに設定されていると判断した場合には、マクロフラグを設定し（ステップＳ１１６）、マクロ撮影モードに設定されていないと判断した場合には、マクロフラグを解除する（ステップＳ１１７）。
【００６９】
次に、モードダイヤル６１の出力を受けてカメラの撮影モードが夜景撮影モードに設定されているか否かを判断する（ステップＳ１１８）。ここで、夜景撮影モードに設定されていると判断した場合には、夜景フラグを設定し（ステップＳ１１９）、夜景撮影モードに設定されていないと判断した場合には、夜景フラグを解除する（ステップＳ１２０）。
【００７０】
次に、システム制御回路５０は、焦点距離検出回路７３の出力を受けることにより、撮影レンズ１０の焦点距離が予め設定された所定値α以上であるか否かを判断する（ステップＳ１２１）。ここで、レンズ焦点距離が所定値α以上であると判断した場合には、望遠フラグを設定し（ステップＳ１２２）、レンズ焦点距離が所定値α未満の場合には、望遠フラグを解除する（ステップＳ１２３）。
【００７１】
次に、システム制御回路５０は、画面方向検出回路７６からの出力を受けることにより、画像表示部２８の画像表示面が被写体側に向けられているか否かを判断する（ステップＳ１２４）。ここで、画像表示部２８の表示面が被写体側に向けられていると判断した場合には、オブザーブフラグを設定し（ステップＳ１２５）、画像表示部２８が被写体側に向けられていない場合、すなわち、画像表示部２８の画像表示面がカメラ本体１０１の背面に位置している場合には、オブザーブフラグを解除する（ステップＳ１２６）。
【００７２】
上述した各フラグの情報は、システム制御回路５０の内部メモリ又はメモリ５２に記憶される。
【００７３】
ステップＳ１２７（図２）において、システム制御回路５０は、画像表示スイッチ６６のＯＮ／ＯＦＦ状態を判別する（ステップＳ１２７）。ここで、画像表示スイッチ６６がＯＮ状態であれば、画像表示フラグを設定し（ステップＳ１２８）、画像表示部２８を表示状態に設定する（ステップＳ１２９）。そして、撮像した画像を画像表示部２８で逐次表示（スルー表示）する状態に設定して（ステップＳ１３０）、ステップＳ１３３（図４）に進む。
【００７４】
スルー表示状態においては、撮像素子１４、Ａ／Ｄ変換器１６、画像処理回路２０およびメモリ制御回路２２を介して画像表示メモリ２４に逐次書き込まれた画像データを、メモリ制御回路２２およびＤ／Ａ変換器２６を介して画像表示部２８に出力することにより、画像表示部２８において撮影画像を逐次表示する。このように画像表示部２８に撮影画像を逐次表示させることにより、電子ファインダとしての機能を実現している。
【００７５】
一方、ステップＳ１２７において、画像表示スイッチ６６がＯＦＦ状態であると判別すると、画像表示フラグを解除するとともに（ステップＳ１３１）、画像表示部２８を非表示状態に設定して（ステップＳ１３２）、ステップＳ１３３に進む。ここで、画像表示部２８が非表示状態である場合には、電子ファインダ機能を使用することができないため、撮影者は光学ファインダ１０４を覗いて撮影を行うことになる。画像表示部２８やＤ／Ａ変換器２６等を駆動するときには大きな電力が必要になるが、これらの回路を非駆動状態とすることで消費電力の削減を図ることが可能となる。
【００７６】
なお、ステップＳ１２８、１３１における画像表示フラグの情報は、システム制御回路５０の内部メモリ又はメモリ５２に記憶される。
【００７７】
ステップＳ１３３（図４）において、システム制御回路５０は、ＳＷ１がＯＮ状態になっているか否かを判別し、ＯＦＦ状態であればステップＳ１０３に戻る。また、ＳＷ１がＯＮ状態であれば、システム制御回路５０の内部メモリ又はメモリ５２に記憶された画像表示フラグの情報を判断し（ステップＳ１３４）、画像表示フラグが設定（ＯＮ）されている場合には、画像表示部２８の表示状態をフリーズ表示状態に設定して（ステップＳ１３５）、ステップＳ１３６に進む。一方、ステップＳ１３４において、画像表示フラグが解除（ＯＦＦ）されていると判断した場合には、ステップＳ１３６に進む。
【００７８】
フリーズ表示状態においては、撮像素子１４、Ａ／Ｄ変換器１６、画像処理回路２０およびメモリ制御回路２２を介した画像表示メモリ２４への画像データ書き換えが禁止される。そして、画像表示メモリ２４に最後に書き込まれた画像データが、メモリ制御回路２２およびＤ／Ａ変換器２６を介して画像表示部２８に出力されることで、画像表示部２８にフリーズした画像が表示されるようになっている。
【００７９】
ステップＳ１３６において、システム制御回路５０は、焦点調節状態の検出結果に基づいて撮影レンズ（フォーカスレンズ）１０を光軸方向に移動させることにより合焦動作を行う。また、被写体輝度検出回路７５からの出力（測光結果）に基づいて、絞り値およびシャッタ速度を決定する。ここで、測光結果に応じて、必要（例えば、被写体が暗い）であれば撮影時にストロボ４８を駆動するための設定も行う。なお、ステップＳ１３６の動作の詳細は後述する。
【００８０】
ステップＳ１３７においては、シャッタ速度検出回路７４の検出結果に基づいて、シャッタ速度が予め設定された所定値β以下であるか否かを判断する。ここで、シャッタ速度が所定値βより大きい場合には、低輝度撮影フラグを解除する（ステップＳ１４０）。また、シャッタ速度が所定値β以下の場合には、被写体輝度検出回路７５の検出結果に基づいて、被写体輝度が予め設定された所定値γ以下であるか否かを判断する（ステップＳ１３８）。
【００８１】
ここで、被写体輝度が所定値γ以下の場合は、低輝度撮影フラグを設定し（ステップＳ１３９）、被写体輝度が所定値γより大きい場合には、低輝度撮影フラグを解除する（ステップＳ１４０）。なお、本実施形態では、所定値α（焦点距離）、β（シャッタ速度）、γ（被写体輝度）を予め設定されたものとしているが、撮影者が任意又は選択的に上記値を決定してもよい。
【００８２】
ステップＳ１４１において、システム制御回路５０は、この内部メモリ又はメモリ５２に記憶される画像表示フラグの設定状態を判別し、画像表示フラグが設定されている場合には、画像表示部２８の表示状態をスルー表示状態に設定して（ステップＳ１４２）、ステップＳ１４３に進む。また、画像表示フラグが設定されていない場合には、スルー表示状態に設定せずにステップＳ１４３に進む。なお、ステップＳ１４２でのスルー表示状態は、ステップＳ１３０でのスルー表示状態と同じ動作状態である。
【００８３】
ステップＳ１４３では、ＳＷ２がＯＮ状態になっているか否かを判別し、ＯＮ状態になっている場合にはステップＳ１４５に進み、ＯＦＦ状態になっている場合にはステップＳ１４４に進む。ステップＳ１４４では、ＳＷ１がＯＮ状態になっているか否かを判別し、ＯＮ状態になっている場合にはステップＳ１４３に戻り、ＯＦＦ状態になっている場合にはステップＳ１０３に戻る。
【００８４】
ステップＳ１４５において、システム制御回路５０は、この内部メモリ又はメモリ５２に記憶される画像表示フラグの設定状態を判別し、画像表示フラグが設定されている場合には画像表示部２８の表示状態を固定色表示状態に設定して（ステップＳ１４６）、ステップＳ１４７に進む。また、画像表示フラグが設定されていない場合には、固定色表示状態に設定せずにステップＳ１４７に進む。
【００８５】
固定色表示状態においては、撮像素子１４、Ａ／Ｄ変換器１６、画像処理回路２０およびメモリ制御回路２２を介して画像表示メモリ２４に書き込まれた撮影画像データの代わりに差し替えられた固定色の画像データが、メモリ制御回路２２およびＤ／Ａ変換器２６を介して画像表示部２８に出力される。これにより、固定色の画像が画像表示部２８に表示される。
【００８６】
ステップＳ１４７において、システム制御回路５０は、露光処理および現像処理からなる撮影処理を実行する。露光処理においては、撮像素子１４、Ａ／Ｄ変換器１６、画像処理回路２０およびメモリ制御回路２２を介して、又は撮像素子１４、Ａ／Ｄ変換器１６およびメモリ制御回路２２を介して、撮影した画像データがメモリ３０に書き込まれる。また、現像処理においては、メモリ制御回路２２および必要に応じて画像処理回路２０を用いてメモリ３０に書き込まれた画像データを読み出して各種処理を行う。なお、撮影処理動作（ステップＳ１４７）の詳細については後述する。
【００８７】
撮影処理動作が終了した後、システム制御回路５０は、この内部メモリ又はメモリ５２に記憶されている情報に基づいて、ドライブモード設定スイッチ６２の操作によってリモコン撮影モードが設定されているか否かを判断する。（ステップＳ１４８）。ここで、リモコン撮影モードが設定されている場合には、システム制御回路５０の内部メモリ又はメモリ５２に記憶されているオブザーブフラグの設定状態を判断する（ステップＳ１５０）。
【００８８】
ステップＳ１５０で、オブザーブフラグが設定されている場合には、ステップＳ１５７’に進む。ステップＳ１５７’では、画像表示フラグが設定されているか否かを判別し、画像表示フラグが設定されている場合（画像表示部２８が表示状態の場合）にはステップＳ１５９に進み、設定されていない場合（画像表示部２８が非表示状態の場合）にはステップＳ１５８に進む。
【００８９】
一方、ステップＳ１５０でオブザーブフラグが解除されている場合には、システム制御回路５０の内部メモリ又はメモリ５２に記憶されている三脚フラグの設定状態を判別する（ステップＳ１５１）。ここで、三脚フラグが設定されている場合には、システム制御回路５０の内部メモリ又はメモリ５２に記憶されるマクロフラグの設定状態を判別する（ステップＳ１５２）。一方、三脚フラグが解除されている場合にはステップＳ１６０に進み、撮影直後にこの撮影された画像が画像表示部２８に表示（クイックレビュー表示）されないことになる。
【００９０】
ステップＳ１５２において、マクロフラグが設定されていると判別した場合には、ステップＳ１５８に進む。また、マクロフラグが解除されている場合には、システム制御回路５０の内部メモリ又はメモリ５２に記憶される夜景フラグの設定状態を判別する（ステップＳ１５３）。
【００９１】
ステップＳ１５３において、夜景フラグが設定されている場合には、ステップＳ１５８に進む。一方、夜景フラグが解除されている場合には、システム制御回路５０の内部メモリ又はメモリ５２に記憶される望遠フラグの設定状態を判断する（ステップＳ１５４）。
【００９２】
ステップＳ１５４において、望遠フラグが設定されている場合には、ステップＳ１５８に進む。一方、望遠フラグが解除されている場合には、システム制御回路５０の内部メモリ又はメモリ５２に記憶される低輝度撮影フラグの設定状態を判断する（ステップＳ１５５）。
【００９３】
ステップＳ１５５において、低輝度撮影フラグが設定されている場合には、ステップＳ１５８に進む。一方、低輝度撮影フラグが解除されている場合には、ステップＳ１６０に進み、クイックレビュー表示が行われないようになっている。
【００９４】
ステップＳ１４８において、リモコン撮影モードに設定されていないと判断した場合には、ステップＳ１４９に進んで、セルフ撮影モードが設定されているか否かを判断する。ここで、セルフ撮影モードに設定されている場合には、システム制御回路５０の内部メモリ又はメモリ５２に記憶されているオブザーブフラグの設定状態を判断する（ステップＳ１５０）。
【００９５】
ステップＳ１５０において、オブザーブフラグが設定されている場合には、ステップＳ１５８に進む。一方、オブザーブフラグが解除されている場合には、システム制御回路５０の内部メモリ又はメモリ５２に記憶される三脚フラグの設定状態を判断する（ステップＳ１５１）。
【００９６】
ここで、三脚フラグが解除されている場合には、ステップＳ１６０に進む。また、三脚フラグが設定されている場合には、システム制御回路５０の内部メモリ又はメモリ５２に記憶されているマクロフラグの設定状態を判断する（ステップＳ１５２）。
【００９７】
ステップＳ１５２において、マクロフラグが設定されている場合には、ステップＳ１５８に進む。一方、マクロフラグが解除されている場合には、システム制御回路５０の内部メモリ又はメモリ５２に記憶されている夜景フラグの設定状態を判断する（ステップＳ１５３）。
【００９８】
ステップＳ１５３において、夜景フラグが設定されている場合には、ステップＳ１５８に進む。一方、夜景フラグが解除されている場合には、システム制御回路５０の内部メモリ又はメモリ５２に記憶されている望遠フラグの設定状態を判断する（ステップＳ１５４）。
【００９９】
ステップＳ１５４において、望遠フラグが設定されている場合には、ステップＳ１５８に進む。一方、望遠フラグが解除されている場合には、システム制御回路５０の内部メモリ又はメモリ５２に記憶される低輝度撮影フラグの設定状態を判断する（ステップＳ１５５）。
【０１００】
ステップＳ１５５において、低輝度撮影フラグが設定されている場合には、ステップＳ１５８に進む。一方、低輝度撮影フラグが解除されている場合には、ステップＳ１６０に進む。
【０１０１】
ステップＳ１４９において、セルフ撮影モードに設定されていない場合、つまり単写撮影モード又は連写撮影モードに設定されている場合には、システム制御回路５０の内部メモリ又はメモリ５２に記憶されている画像表示フラグの設定状態を判断する（ステップＳ１５６）。ここで、画像表示フラグが設定されている場合には、撮影直後にこの撮影された画像が画像表示部２８に表示（クイックレビュー表示）される（ステップＳ１５９）。画像表示フラグが設定されている場合には、撮影中も画像表示部２８に撮影画像が表示され、画像表示部２８が電子ファインダとして機能している状態であり、クイックレビューフラグの設定状態に関わらずクイックレビュー表示が行われる。
【０１０２】
一方、ステップＳ１５６において、画像表示フラグが解除されている場合には、システム制御回路５０の内部メモリ又はメモリ５２に記憶されているクイックレビューフラグの設定状態を判断する（ステップＳ１５７）。ここで、クイックレビューフラグが設定されている場合には、画像表示部２８を表示状態に設定し（ステップＳ１５８）、画像表示部２８にクイックビュー表示を行わせる（ステップＳ１５９）。
【０１０３】
また、ステップＳ１５７において、クイックレビューフラグが解除されている場合には、画像表示部２８を非表示状態にしたままＳ１６０に進む。ここで、ステップＳ１５９を介さずにステップＳ１６０に進んだ場合には、撮影を行った後でも画像表示部２８は非表示状態のままであり、クイックレビュー表示は行われないようになっている。
【０１０４】
なお、ステップＳ１５９におけるクイックレビュー表示の表示時間は、適宜設定可能である。また、クイックレビュー表示中にＳＷ１又はＳＷ２がＯＮ状態となった場合には、撮影待機状態に戻るようにすることもできる。
【０１０５】
本実施形態のカメラでは、リモコン撮影モードやセルフ撮影モードが設定されている場合には、原則としてクイックレビュー表示が行われないようになっている。また、撮影者が、画像表示部２８に表示される画像を確認することなく、すなわち画像表示部２８の表示面を被写体側に向けることなく記念撮影（自己撮影）を行う場合には、クイックレビュー表示が行われないようになっている。
【０１０６】
ここで、リモコン撮影モードやセルフ撮影モードが設定されている場合には、撮影者がカメラの前面側（被写体側）に位置している可能性が高く、カメラの背面に配置された画像表示部２８の表示画面を確認することができない。
【０１０７】
そこで、本実施形態のようにリモコン撮影モードやセルフ撮影モードが設定されているときや、画像表示部２８の表示を確認することなく記念撮影を行うときに、クイックレビュー表示を禁止することにより、不必要なクイックレビュー表示を防止でき、カメラの省電力化を図ることができる。
【０１０８】
ここで、本実施形態のカメラでは、カメラの省電力化のため、又は光学ファインダ１０４を覗いて撮影を行うために画像表示部２８を非表示状態としている場合でも、クイックレビュー機能が設定されていれば、クイックレビュー表示が行われるようになっている。この場合においても、リモコン撮影モードやセルフ撮影モードが設定されているときや、画像表示部２８の表示を確認することなく記念撮影を行うときには、クイックレビュー表示が禁止される。
【０１０９】
一方、リモコン撮影モードやセルフ撮影モードが設定されている場合でも、手振れ等が撮影に大きな影響を与える撮影（例えば、マクロ撮影、夜景撮影および望遠撮影）を行う場合には、三脚をカメラに装着することによりカメラを固定させた状態でリモコン撮影やセルフ撮影を行う場合がある。
【０１１０】
このような撮影を行う場合には、撮影者はカメラの近傍に位置している可能性が高い、すなわち画像表示部２８に表示された画像を確認する可能性が高いため、本実施形態のようにクイックレビュー表示を行うようにすることで、撮影者に撮影画像を確認させるようにしている。
【０１１１】
また、画像表示部２８を回転させて画像表示面を被写体側に向けた状態で撮影を行った場合には、撮影者がカメラ前面側（被写体側）に位置していても、画像表示部（画像表示面）２８を確認することができる。このため、本実施形態のカメラでは、画像表示部２８の表示面が被写体側を向いている場合には、クイックレビュー表示を行うようにして、撮影者に撮影画像を確認させることができるようにしている。
【０１１２】
ステップＳ１６０では、ＳＷ２がＯＦＦ状態になるまで待機し、ＳＷ２がＯＦＦ状態となった後、ＳＷ１がＯＦＦ状態になっているか否かを判断する（ステップＳ１６１）。ここで、ＳＷ１がＯＮ状態になっていれば、ステップＳ１６０に戻る。また、ＳＷ１がＯＦＦ状態になっていれば、クイックレビュー表示後、メモリ３０に書き込まれた撮影画像データを読み出す。そして、読み出した撮影画像データに対してメモリ制御回路２２（必要に応じて画像処理回路２０）で各種画像処理を行い、圧縮伸長回路３２で設定モードに応じた画像圧縮処理を行った後、記録媒体２００へ画像データの書き込み（記録処理）を実行する（ステップＳ１６２）。この記録処理の詳細については後述する。
【０１１３】
すなわち、ＳＷ１およびＳＷ２がＯＦＦ状態になったときに記録媒体２００への画像データの書き込みが行われ、ＳＷ１およびＳＷ２のうちいずれかのスイッチがＯＮ状態になっていれば、記録媒体２００への画像データの書き込みが行われないようになっている。
【０１１４】
記録処理（ステップＳ１６２）終了後、ＳＷ２がＯＦＦ状態になっているか否かを判断する（ステップＳ１６３）。ここで、ＳＷ２がＯＮ状態になっていればステップＳ１４５に進み、ＳＷ２がＯＦＦ状態になっていればＳＷ１がＯＦＦ状態になっているか否かを判断する（ステップＳ１６４）。
【０１１５】
ステップＳ１６４において、ＳＷ１がＯＦＦ状態の場合には一連の撮影動作を終えてステップＳ１０３に戻る。また、ＳＷ１がＯＮ状態のときには、ステップＳ１４３に戻って次の撮影に備える。
【０１１６】
図６は、図４のステップＳ１３６における焦点検出・測光処理の詳細なフローチャートである。以下、この処理動作について詳細に説明する。
【０１１７】
ステップＳ２０１では、撮像素子１４から電荷信号を読み出し、Ａ／Ｄ変換器１６を介して画像処理回路２０に撮影画像データを逐次読み込む。この逐次読み込まれた画像データを用いて、画像処理回路２０はＴＴＬ方式のＡＥ処理、ＥＦ処理、ＡＦ処理に用いる所定の演算を行う。
【０１１８】
なお、ここでの各処理は、撮影した全画素数のうち必要に応じた特定の部分を必要個所分切り取って抽出し、演算に用いている。これにより、ＴＴＬ方式のＡＥ、ＥＦ、ＡＷＢ、ＡＦの各処理において、画面中央に設けられた測光領域を基準に測光を行う中央重点測光モード、画面内に設けられた複数の測光領域すべてを基準に測光を行う平均測光モード、画面内を多分割して測光し、最適な露出を判断する評価測光モード等の測光モード毎に最適な演算を行うことが可能となる。
【０１１９】
システム制御回路５０は、画像処理回路２０での演算結果を用いて、露出が適正であるか否か判断する（ステップＳ２０２）。ここで、露出が適正でない場合には、露光制御回路４０を駆動することによりＡＥ制御を行う（ステップＳ２０３）。ＡＥ制御で得られた測定データを用いて、システム制御回路５０はストロボ発光が必要であるか否かを判断する（ステップＳ２０４）。ここで、ストロボ発光が必要ならばストロボフラグを設定し、ストロボ発光のための充電を開始する（ステップＳ２０５）。その後、ステップＳ２０１に戻る。
【０１２０】
ステップＳ２０２で露出が適正と判断した場合には、上記測定データおよび設定パラメータをシステム制御回路５０の内部メモリ又はメモリ５２に記憶する。
【０１２１】
ステップＳ２０６では、画像処理回路２０での演算結果およびＡＥ制御で得られた測定データを用いて、システム制御回路５０は、ホワイトバランス（ＡＷＢ）が適正であるか否かを判断する。ここで、ホワイトバランスが適正でないと判断した場合には、画像処理回路２０を用いて色処理のパラメータを調節してＡＷＢ制御を行う（ステップＳ２０７）。このＡＷＢ制御後は、ステップＳ２０１に戻る。一方、ホワイトバランス（ＡＷＢ）が適正と判断した場合には、測定データおよび設定パラメータをシステム制御回路５０の内部メモリ又はメモリ５２に記憶する。
【０１２２】
ステップＳ２０８において、システム制御回路５０は、ＡＥ制御およびＡＷＢ制御で得られた測定データを用いて、焦点検出により合焦状態にあるか否かを判断する（ステップＳ２０８）。ここで、合焦状態にない場合には、フォーカス制御回路４２の出力に基づいて撮影レンズ（フォーカスレンズ）１０を光軸方向に移動させて焦点調節動作（ＡＦ制御）を行う（ステップＳ２０９）。このＡＦ制御後、ステップＳ２０１に戻る。
【０１２３】
一方、ステップＳ２０８で合焦状態であると判断すると、測定データおよび設定パラメータをシステム制御回路５０の内部メモリ又はメモリ５２に記憶し、焦点検出・測光処理のルーチン（Ｓ１３６）を終了する。
【０１２４】
図７は、図５のステップＳ１４７における撮影処理のフローチャートである。以下、撮影処理の動作について詳細に説明する。
【０１２５】
システム制御回路５０は、この内部メモリ又はメモリ５２に記憶されている測光データに基づき露光制御回路４０を介してシャッタ１３を駆動することにより、光通過口の開口部を開き状態とする（ステップＳ３０１）。これにより、撮影光学系を通過した被写体光束は、開口部を通過して撮像素子１４で結像する（ステップＳ３０２）。
【０１２６】
ステップＳ３０３では、ストロボフラグが設定されているか否かを判断し、設定されている場合には、ストロボ４８を発光させる（ステップＳ３０４）。一方、ストロボフラグが設定されていない場合には、ストロボ発光を行わずにステップＳ３０５に進む。
【０１２７】
システム制御回路５０は、測光データに応じた所定の露光時間が経過するまで待機し（ステップＳ３０５）、所定の露光時間が経過したら、露光制御回路４０を介してシャッタ１３を駆動することにより、開口部を閉じ状態とする（ステップＳ３０６）。
【０１２８】
ステップＳ３０７では、撮像素子１４から電荷信号を読み出し、Ａ／Ｄ変換器１６、画像処理回路２０およびメモリ制御回路２２を介して、又はＡ／Ｄ変換器１６およびメモリ制御回路２２を介して、メモリ３０に撮影画像のデータを書き込む。
【０１２９】
ステップＳ３０８では、設定された撮影モードに応じて、フレーム処理を行う必要があるか否かを判断し、必要がある場合には、メモリ制御回路２２（必要に応じて画像処理回路２０）を用いて、メモリ３０に書き込まれた画像データを読み出して垂直加算処理（ステップＳ３０９）、色処理（ステップＳ３１０）を順次行う。そして、メモリ３０に画像処理を終えた画像データを書き込む。なお、ステップＳ３０８において、フレーム処理を行う必要がない場合には、直接ステップＳ３１１に進む。
【０１３０】
ステップＳ３１１では、メモリ３０から画像データを読み出し、メモリ制御回路２２を介して画像表示メモリ２４に表示画像データの転送を行う（ステップＳ３１１）。これにより、画像表示部２８に撮影画像が表示される。上述した一連の処理を終えると、撮影処理のルーチン（ステップＳ１４７）を終了する。
【０１３１】
図８は、図５のステップＳ１６２における記録処理の動作を示すフローチャートである。以下、記録処理の動作について詳細に説明する。
【０１３２】
システム制御回路５０は、メモリ制御回路２２（必要に応じて画像処理回路２０）を用いて、メモリ３０に書き込まれた撮影画像データを読み出して撮像素子の縦横画素比率を１：１に補間する画素正方化処理を行い、メモリ３０に処理を終えた画像データを書き込む（ステップＳ４０１）。
【０１３３】
そして、メモリ３０に書き込まれた画像データを読み出して、設定モードに応じた画像圧縮処理を圧縮伸長回路３２で行い（ステップＳ４０２）、インターフェース９０およびコネクタ９２を介して記録媒体２００へ圧縮した画像データの書き込みを行う（ステップＳ４０３）。記録媒体２００への画像データの書き込みが終わると、記録処理のルーチン（ステップＳ１６２）を終了する。
【０１３４】
なお、本実施形態では、画像表示スイッチ６６がＯＮ状態のときはクイックレビュースイッチ６８のＯＮ／ＯＦＦ状態に関わらず撮影直後の画像をクイックレビュー表示しているが、画像表示スイッチ６６がＯＮ状態のときにおいてもクイックレビュースイッチ６８のＯＮ／ＯＦＦ状態や、撮影者がカメラから離れた位置で撮影された否かに応じてクイックレビュー表示を行うか否かを決定するようにしてもよい。
【０１３５】
また、本実施形態では、クイックレビュースイッチ６８を備えた構成としているが、クイックレビュースイッチ６８を備えていない構成としてもよい。クイックレビュースイッチ６８を備えていない構成の場合には、図２、４、５に示すフローチャートにおいて、クリックレビュースイッチに関する処理を覗いたフローで動作するようにすればよい。すなわち、このときの動作フローは、図２におけるクイックレビューＳＷ判定（ステップＳ１１０）、クイックレビューフラグ設定（ステップＳ１１１）、クイックレビューフラグ解除（ステップＳ１１２）、および図４、５におけるクイックレビューフラグ判定（ステップＳ１５７）の処理を除去したフローチャートになる。
【０１３６】
上述した動作フローの場合には、リモコン撮影モード又はセルフ撮影モードが設定され、撮影者がカメラから離れた位置で撮影したと判断した場合のみ、撮影後にクイックレビュー表示が行われないことになる。また、単写撮影モード、連写撮影モード、リモコン撮影モード、セルフ撮影モードに設定し、撮影者が画像表示部２８の表示を確認しながら撮影を行ったと判断した場合には、撮影後にクイックレビュー表示が行われる。
【０１３７】
一方、記録媒体２００としては、ＰＣＭＣＩＡカードやＣＦカード等のメモリカード、ハードディスク等だけでなく、マイクロＤＡＴ、光磁気ディスク、ＣＤ−ＲやＣＤ−ＲＷ等の光ディスク、ＤＶＤ等の相変化型光ディスク等で構成することもできる。また、メモリカードとハードディスク等が一体となった複合媒体であってもよい。さらに、この複合媒体から一部が着脱可能な構成としてもよい。
【０１３８】
また、本実施形態において、記録媒体２００は、カメラに対して任意に接続可能なものであるが、上述した複数の記録媒体のうち少なくとも１つの記録媒体がカメラに固定されたままの状態となっていてもよい。さらに、カメラに対して任意の数の記録媒体２００が接続可能な構成であってもよいし、記録媒体自体が複数の組み合わせの構成であってもよい。
【０１３９】
以上説明した各実施形態は、以下に示す各発明を示す各発明を実施した場合の一例でもあり、下記の各発明は上記各実施形態に様々な変更や改良が加えられて実施されるものである。
【０１４０】
〔発明１〕  撮影画像を表示する表示手段と、
この表示手段の駆動を制御する制御手段とを有し、
リモコン操作により撮影を可能とするリモコン撮影モードの設定が可能であるとともに、撮影直後にこの撮影画像を前記表示手段に表示可能な撮影装置において、
前記制御手段は、前記リモコン撮影モードが設定されているか否かを判断し、前記リモコン撮影モードが設定されているときに、前記表示手段において撮影直後での撮影画像の表示を禁止することを特徴とする撮影装置。
【０１４１】
リモコン撮影モードが設定されている場合には、撮影者が表示手段に表示される画像を確認することができない可能性が高いため、撮影した画像をこの撮影直後に表示手段に表示させるのを禁止することで、不必要な表示を防止してカメラの省電力化を図ることができる。
【０１４２】
〔発明２〕  撮影画像を表示する表示手段と、
この表示手段の駆動を制御する制御手段と、
撮影動作を開始させるために操作される操作手段とを有し、
前記操作手段が操作されてから所定時間経過後に撮影を可能とするセルフ撮影モードの設定が可能であるとともに、撮影直後にこの撮影画像を前記表示手段に表示可能な撮影装置において、
前記制御手段は、前記セルフ撮影モードが設定されているか否かを判断し、前記セルフ撮影モードが設定されているときに、前記表示手段において撮影直後での撮影画像の表示を禁止することを特徴とする撮影装置。
【０１４３】
セルフ撮影モードが設定されている場合には、撮影者が表示手段に表示される画像を確認することができない可能性が高いため、撮影した画像をこの撮影直後に表示手段に表示させるのを禁止することで、不必要な表示を防止してカメラの省電力化を図ることができる。
【０１４４】
〔発明３〕  前記制御手段は、撮影が行われたときの撮影条件が所定の撮影条件であるか否かを判断し、前記所定の撮影条件であると判断したとき、前記表示手段において撮影直後に撮影画像を表示させることを特徴とする前記発明１又は２に記載の撮影装置。
【０１４５】
リモコン撮影モード又はセルフ撮影モードが設定されている場合でも、撮影が行われたときの撮影条件が所定の撮影条件である場合、すなわち、撮影者が表示手段の表示を確認することができるような場合には、撮影直後において表示手段に撮影画像を表示させることができる。これにより、リモコン撮影モード又はセルフ撮影モードが設定されているときでも、撮影時の状況に応じて適宜撮影画像を表示させることができるため、カメラの使い勝手を向上させることができる。
【０１４６】
〔発明４〕  焦点距離を変更可能な撮影光学系を有し、装置本体を保持するための三脚が着脱可能な撮影装置において、
前記制御手段は、前記所定の撮影条件として、前記三脚が前記装置本体に装着されているとともに、前記撮影光学系の焦点距離が第１の焦点距離以上又は前記第１の焦点距離よりも短い第２の焦点距離以下であるとき、前記表示手段において撮影直後に撮影画像を表示させることを特徴とする前記発明３に記載の撮影装置。
【０１４７】
〔発明５〕  装置本体を保持するための三脚が着脱可能であり、近接撮影を可能とするマクロ撮影モードの設定が可能な撮影装置において、
前記制御手段は、前記所定の撮影条件として、前記三脚が前記装置本体に装着されているとともに、前記マクロ撮影モードが設定されているとき、前記表示手段において撮影直後に撮影画像を表示させることを特徴とする前記発明３に記載の撮影装置。
【０１４８】
〔発明６〕  装置本体を保持するための三脚が着脱可能な撮影装置において、前記制御手段は、前記所定の撮影条件として、前記三脚が前記装置本体に装着されているとともに、被写体輝度が所定値以下であるとき、前記表示手段において撮影直後に撮影画像を表示させることを特徴とする前記発明３に記載の撮影装置。
【０１４９】
〔発明７〕  前記表示手段の画像表示面を被写体側に向けることが可能な撮影装置において、
前記制御手段は、前記所定の撮影条件として、前記画像表示面が被写体側を向いているとき、前記表示手段において撮影直後に撮影画像を表示させることを特徴とする前記発明３に記載の撮影装置。
【０１５０】
【発明の効果】
本発明によれば、撮影装置の消費電力を軽減することができる。
【図面の簡単な説明】
【図１】カメラの構成を示すブロック図。
【図２】カメラ動作における主ルーチンの一部を表すフローチャート。
【図３】カメラ動作における主ルーチンの一部を表すフローチャート。
【図４】カメラ動作における主ルーチンの一部を表すフローチャート。
【図５】カメラ動作における主ルーチンの一部を表すフローチャート。
【図６】焦点検出・測光処理ルーチンのフローチャート。
【図７】撮影処理ルーチンのフローチャート。
【図８】記録処理ルーチンのフローチャート。
【図９】カメラの上面図（ａ）および背面図（ｂ）。
【図１０】カメラの断面図。
【符号の説明】
１０：撮影レンズ
１２：絞り
１３：シャッタ
１４：撮像素子
２０：画像処理回路
２２：メモリ制御回路
２８：画像表示部
３２：圧縮伸長回路
４０：露光制御回路
４２：焦点検出制御回路
５０：システム制御回路
５４：表示部
６１：モードダイヤル
６２：ドライブモード設定ボタン
６３：レリーズスイッチ
６６：画像表示スイッチ
６８：クイックレビュースイッチ
７０：操作部
７１：レリーズボタン
８６：電源
１０１：カメラ本体
１０２：レンズ装置
１０４：光学ファインダ
【図１】
2004236038.tif 000003
【図２】
2004236038.tif 000004
【図３】
2004236038.tif 000005
【図４】
2004236038.tif 000006
【図５】
2004236038.tif 000007
【図６】
2004236038.tif 000008
【図７】
2004236038.tif 000009
【図８】
2004236038.tif 000010
【図９】
2004236038.tif 000011
【図１０】
2004236038.tif 000012